(57)【要約】  光伝送装置（１２０）は、波長多重によって光伝送を行う光伝送装置である。光伝送装置（１２０）は、受信部（１２７）と、波長判定部（１２２）と、送信部（１２４）と、制御部（１２５）と、を備えている。受信部（１２７）は、送信装置から送信される光信号を受信する。波長判定部（１２２）は、受信部（１２７）が受信する光信号の波長を判定する。送信部（１２４）は、可変な波長によって光信号を送信する制御部（１２５）は、波長判定部（１２２）によって判定された波長に応じて送信部（１２４）が送信する光信号の波長を制御する。
2008081545.tif 000002
【特許請求の範囲】
【請求項１】
波長多重によって光伝送を行う光伝送装置において、
送信装置から送信される光信号を受信する受信手段と、
前記受信手段によって受信される光信号の波長を判定する波長判定手段と、
可変な波長によって光信号を送信する送信手段と、
前記波長判定手段によって判定された波長に応じて前記送信手段が送信する光信号の波長を制御する制御手段と、
を備えることを特徴とする光伝送装置。
【請求項２】
前記受信手段によって受信された光信号に対して可変な分散補償量によって分散補償を行う分散補償手段をさらに備え、
前記分散補償手段は、多重反射板と自由曲面反射鏡とを備えるＶＩＰＡ（Ｖｉｒｔｕａｌｌｙ  Ｉｍａｇｅｄ  Ｐｈａｓｅｄ  Ａｒｒａｙ）によって構成されており、
前記波長判定手段は、前記ＶＩＰＡの多重反射板における前記光信号の反射角度を判定することによって前記光信号の波長を判定することを特徴とする請求項１に記載の光伝送装置。
【請求項３】
前記波長判定手段は、
前記光信号を受光する受光手段と、
前記ＶＩＰＡの多重反射板を反射した光信号を受光する所定位置に自由曲面反射鏡が配置される第１状態と、前記所定位置に前記受光手段が配置される第２状態と、を切り替える切替手段と、
前記第２状態において、前記受光手段が前記光信号を受光する位置によって前記光信号の波長を判定する判定手段と、
によって構成されていることを特徴とする請求項２に記載の光伝送装置。
【請求項４】
前記受光手段は、複数の受光素子を有するＰＤアレイによって構成されており、
前記判定手段は、前記複数の受光素子が受光するそれぞれの光の強度に基づいて前記光信号の波長を判定することを特徴とする請求項３に記載の光伝送装置。
【請求項５】
前記制御手段は、前記波長判定手段によって判定された波長に応じて前記分散補償手段の分散補償量を制御することを特徴とする請求項２〜４のいずれか一つに記載の光伝送装置。
【請求項６】
前記制御手段は、前記多重反射板の温度制御を行うことによって前記分散補償手段の分散補償量を制御することを特徴とする請求項５に記載の光伝送装置。
【請求項７】
前記波長判定手段は、
前記光信号の波長に応じた経路に前記光信号を出力する波長ルータと、
前記経路毎に設けられ、前記波長ルータから出力された光信号をそれぞれ受光する複数の受光素子と、
前記複数の受光素子が受光するそれぞれの光の強度に基づいて前記光信号の波長を判定する判定手段と、
によって構成されていることを特徴とする請求項１または２に記載の光伝送装置。
【請求項８】
前記波長ルータはＡＷＧ（Ａｒｒａｙｅｄ  Ｗａｖｅｇｕｉｄｅ  Ｇｒａｔｉｎｇ）によって構成されていることを特徴とする請求項７に記載の光伝送装置。
【請求項９】
前記制御手段は、あらかじめ定められた初期波長に応じて前記分散補償手段の分散補償量を制御し、
前記波長判定手段は、前記初期波長によって送信装置から送信された情報に基づいて前記光信号の波長を判定することを特徴とする請求項２に記載の光伝送装置。
【請求項１０】
データ通信を行う際の周波数よりも低い周波数で送信され、データ通信を行う際の運用波長の情報を含む光信号を検出する検出手段をさらに備え、
前記波長判定手段は、前記検出手段によって検出された前記情報に基づいて前記光信号の波長を判定することを特徴とする請求項２に記載の光伝送装置。
【請求項１１】
波長多重によって光伝送を行う光伝送方法において、
送信装置から送信される光信号を受信する受信工程と、
前記受信工程によって受信される光信号の波長を判定する波長判定工程と、
前記波長判定工程によって判定された波長に応じた波長によって光信号を送信する送信工程と、
を含むことを特徴とする光伝送方法。
【請求項１２】
前記受信工程によって受信された光信号に対して可変な分散補償量によって分散補償を行う分散補償工程をさらに含み、
前記分散補償工程では、多重反射板と自由曲面反射鏡とを含むＶＩＰＡ（Ｖｉｒｔｕａｌｌｙ  Ｉｍａｇｅｄ  Ｐｈａｓｅｄ  Ａｒｒａｙ）によって分散補償を行い、
前記波長判定工程では、前記ＶＩＰＡの多重反射板における前記光信号の反射角度を判定することによって前記光信号の波長を判定することを特徴とする請求項１１に記載の光伝送方法。
【発明の詳細な説明】
【技術分野】
【０００１】
この発明は、波長多重によって光伝送を行う光伝送装置および光伝送方法に関するものである。
【背景技術】
【０００２】
近年、伝送容量の増大に伴い、高密度波長分割多重方式（ＤＷＤＭ：Ｄｅｎｓｅ  Ｗａｖｅｌｅｎｇｔｈ  Ｄｉｖｉｓｉｏｎ  Ｍｕｌｔｉｐｌｅｘｉｎｇ）を可能とするネットワークが構築されつつある。また、さらなる伝送容量の増加に対応すべく、伝送スピードが４０Ｇｂｐｓの超高速レートの光伝送システムも商用化されつつある。このような状況の中、超高速のままルータからユーザのビルまでの伝送を可能にするための簡易的なトランスポンダシステム（Ｓｔａｎｄａｌｏｎｅ  Ｔｒａｎｓｐｏｎｄｅｒ  Ｓｙｓｔｅｍ）が研究開発されている（たとえば、下記特許文献１参照。）。【０００３】
図１３は、従来のＷＤＭ伝送システムの構成を示すブロック図（その１）である。局Ａにおいて、ルータ１３０１から出力されたＳＯＮＥＴ／ＳＤＨ（Ｓｙｎｃｈｒｏｎｏｕｓ  Ｏｐｔｉｃａｌ  ＮＥＴｗｏｒｋ／Ｓｙｎｃｈｒｏｎｏｕｓ  Ｄｉｇｉｔａｌ  Ｈｉｅｒａｒｃｈｙ）信号は、トランスポンダ部１３０２によって受信、トランスペアレントされ（波長多重用の光波長に変換されて）、ＭＵＸ（Ｍｕｌｔｉｐｌｅｘｅｒ）部１３０３において波長多重されて局Ｆへ送信される。長距離を伝送する場合は、ＳＯＮＥＴ／ＳＤＨ信号は、局Ａから中継局Ｂ〜Ｅを経由して局Ｆへ送信される。【０００４】
局Ｆにおいて、局Ａから送信されたＳＯＮＥＴ／ＳＤＨ信号は、ＭＵＸ部１３０４によって取り出され、トランスポンダ部１３０５を介してルータ１３０６へと転送される。また、このＷＤＭ伝送システムにおいては、局Ａから局Ｆへ送信される光信号の波長はλ１であり、局Ｆから局Ａへ送信される光信号の波長はλ２（≠λ１）である。【０００５】
図１４は、従来のＷＤＭ伝送システムの構成を示すブロック図（その２）である。図１４に示すように、このＷＤＭ伝送システムは、局Ａから局Ｆまでの接続について冗長な経路となる局Ｈ〜局Ｍを有している。ここで、局Ａのトランスポンダ部１４０１、局Ｆのトランスポンダ部１４０２，１４０３および局Ｇのトランスポンダ部１４０４は、長距離伝送を行うために特に必要となる簡易的なトランスポンダである。局Ｇは、ユーザのビルなどに設置された光伝送装置であり、独立したトランスポンダシステムを構成する。なお、このＷＤＭ伝送システムにおいては、各経路における双方向の光信号の波長はそれぞれ同じ波長（λ３，λ４）となっている。【０００６】
図１５は、従来のＤＷＤＭ装置の基本的構成を示すブロック図である。図１５に示すＤＷＤＭ装置１５００は、たとえば図１４に示した局Ｇを構成する光伝送装置である。ＤＷＤＭ装置１５００は、データの送受信を行うトランスポンダ部（ＴＲＰＮ：ＴＲａｎｓＰｏＮｄｅｒ）１５０１と、トランスポンダ部１５０１のデータの送受信を制御する制御系である制御部１５０２と、を備えている。【０００７】
制御部１５０２は、ＮＭＳ（Ｎｅｔｗｏｒｋ  Ｍａｎａｇｅｍｅｎｔ  Ｓｙｓｔｅｍ）１５１０に接続しており、ＮＭＳ１５１０の制御に従ってＤＷＤＭ装置１５００のデータの送受信を制御する。たとえば、制御部１５０２は、ＮＭＳ１５１０から、ＤＷＤＭ装置１５００に割り当てられた波長の情報を受信し、受信した情報に基づいてトランスポンダ部１５０１が送受信する光信号の波長を制御する。【０００８】
図１６は、従来の光伝送システムの構成の一部を示すブロック図である。図１６に示すように、従来の光伝送システム１６００は、ＷＤＭ装置１６１０と、光伝送装置１６２０と、ＮＭＳ１６３０と、を有している。ＷＤＭ装置１６１０における制御部１６１１は、光伝送装置１６２０との間で送受信する光信号のために割り当てられた波長の情報をＮＭＳ１６３０から受信し、受信した情報に基づいてトランスポンダ部１６１２が送受信する光信号の波長を制御する。【０００９】
同様に、光伝送装置１６２０における制御部１６２１は、ＷＤＭ装置１６１０との間で送受信する光信号のために割り当てられた波長の情報をＮＭＳ１６３０から受信し、受信した情報に基づいてトランスポンダ部１６２２が送受信する光信号の波長を制御する。なお、ＷＤＭ装置１６１０におけるＭＵＸ部１６１３は、光伝送システム１６００における他の光伝送装置から送信される光信号を多重分離し、また他の光伝送装置へ送信する光信号を多重化する。【００１０】
また、高速の光伝送装置には、波長分散によって発生した光信号の劣化を補償するために、ＶＩＰＡ（Ｖｉｒｔｕａｌｌｙ  Ｉｍａｇｅｄ  Ｐｈａｓｅｄ  Ａｒｒａｙ）などの分散補償器が用いられる。ＶＩＰＡには受信する光信号の波長に対する依存性があり、受信波長によっては波長ずれが発生する。このため、光伝送装置は、受信する光信号の波長の情報を制御系によってＮＭＳから受信し、受信する光信号の波長に応じてＶＩＰＡの温度制御を行う。【００１１】
また、光伝送装置のトランスポンダ部の送信側には、送信波長を変化させることができるＴｕｎａｂｌｅ  ＬＤが用いられている。光伝送装置は、光伝送装置の送信に割り当てられた送信波長の情報を制御系によってＮＭＳから受信し、割り当てられた送信波長をＴｕｎａｂｌｅ  ＬＤ（Ｌａｓｅｒ  Ｄｉｏｄｅ）に設定する。【００１２】
【特許文献１】特開２０００−３４９７５３号公報
【発明の開示】
【発明が解決しようとする課題】
【００１３】
しかしながら、たとえばユーザのビルに設置するトランスポンダは、設置場所が限られることから装置が省スペースであることが必要となる。また、このようなトランスポンダのそれぞれに制御系を設けるとコストが高くなる。これに対して、トランスポンダを制御する制御系を省くことによって装置の省スペース化、低コスト化を図ることが考えられるが、制御系を省くとアラーム検出や遠隔操作を行うことができなくなるという問題がある。【００１４】
また、トランスポンダの制御系を省くと、そのトランスポンダに割り当てられた波長の情報を取得できなくなり、ＶＩＰＡの温度制御を適切に行うことができず分散補償の精度が低下するという問題がある。また、制御系を省くと、そのトランスポンダに割り当てられた波長の情報を取得できなくなり送信波長の設定を行うことができなくなるという問題がある。【００１５】
この発明は、上記問題点に鑑みてなされたものであって、上記の問題点を解決しつつ、装置の省スペース化、低コスト化を図ることができる光伝送装置を提供することを目的とする。
【課題を解決するための手段】
【００１６】
上述した課題を解決し、目的を達成するために、この発明にかかる光伝送装置は、波長多重によって光伝送を行う光伝送装置において、送信装置から送信される光信号を受信する受信手段と、前記受信手段が受信する光信号の波長を判定する波長判定手段と、可変な波長によって光信号を送信する送信手段と、前記波長判定手段によって判定された波長に応じて前記送信手段が送信する光信号の波長を制御する制御手段と、を備えることを特徴とする。【００１７】
上記構成によれば、受信する光信号の波長を制御系を介さずに判定できるため、制御系を省くことができる。
【発明の効果】
【００１８】
この発明にかかる光伝送装置および光伝送方法によれば、装置の省スペース化、低コスト化を図ることができるという効果を奏する。
【図面の簡単な説明】
【００１９】
【図１】図１は、実施の形態１にかかる光伝送装置を適用した光伝送システムの構成の一部を示すブロック図である。
【図２】図２は、実施の形態２にかかる光伝送装置の分散補償部の具体的構成を示すブロック図である。
【図３】図３は、実施の形態３にかかる光伝送装置の分散補償部の具体的構成を示すブロック図（状態１）である。
【図４】図４は、実施の形態３にかかる光伝送装置の分散補償部の具体的構成を示すブロック図（状態２）である。
【図５】図５は、実施の形態３にかかる光伝送装置の構成を示すブロック図である。
【図６】図６は、実施の形態３にかかる光伝送装置の動作の一例を示すフローチャートである。
【図７】図７は、実施の形態４にかかる光伝送装置の波長判定部の構成を示すブロック図である。
【図８】図８は、実施の形態５にかかる光伝送装置を適用した光伝送システムの構成の一部を示すブロック図である。
【図９】図９は、実施の形態５にかかる光伝送装置を適用した光伝送システムの動作の一例を示すフローチャートである。
【図１０】図１０は、実施の形態６にかかる光伝送装置を適用した光伝送システムの構成の一部を示すブロック図である。
【図１１】図１１は、本発明にかかる光伝送装置を適用したＤＷＤＭ装置の実施例の基本的構成を示すブロック図である。
【図１２】図１２は、本発明にかかる光伝送装置のトランスポンダ部の実施例の構成の一例を示すブロック図である。
【図１３】図１３は、従来のＷＤＭ伝送システムの構成を示すブロック図（その１）である。
【図１４】図１４は、従来のＷＤＭ伝送システムの構成を示すブロック図（その２）である。
【図１５】図１５は、従来のＤＷＤＭ装置の基本的構成を示すブロック図である。
【図１６】図１６は、従来の光伝送システムの構成の一部を示すブロック図である。
【符号の説明】
【００２０】
１００  光伝送システム
１１０  ＷＤＭ装置
１１１  多重化部
１１２  トランスポンダ部
１１３  制御部
１２０  光伝送装置
１２１  トランスポンダ部
１２２  波長判定部
１２３  分散補償部
１２４  送信部
１２５  制御部
１２６  信号処理部
１２７  受信部
１３０  ＮＭＳ
【発明を実施するための最良の形態】
【００２１】
以下に添付図面を参照して、この発明にかかる光伝送装置および光伝送方法の好適な実施の形態を詳細に説明する。【００２２】
（実施の形態１）
図１は、実施の形態１にかかる光伝送装置を適用した光伝送システムの構成の一部を示すブロック図である。図１においては、実際のデータ信号の流れを実線で示し、制御信号の流れを点線で示している（以下のブロック図でも同様）。図１に示すように、光伝送システム１００は、ＷＤＭ装置１１０と、光伝送装置１２０と、ＮＭＳ１３０と、を含んでいる。【００２３】
ＷＤＭ装置１１０は、多重化部（ＭＵＸ）１１１と、トランスポンダ部（ＴＲＰＮ）１１２と、制御部１１３と、を備えている。多重化部１１１は、光伝送システム１００の他の光伝送装置から波長多重して送信された光信号を受信して多重分離する。多重化部１１１は、多重分離した光信号をトランスポンダ部１１２へ出力する。また、多重化部１１１は、トランスポンダ部１１２から出力された光信号を波長多重して光伝送システム１００の他の光伝送装置へ送信する。【００２４】
トランスポンダ部１１２は、多重化部１１１から出力された光信号を光伝送装置１２０へ送信する。また、トランスポンダ部１１２は、光伝送装置１２０から送信された光信号を受信して多重化部１１１へ出力する。制御部１１３は、ＮＭＳ１３０に接続しており、トランスポンダ部１１２における光信号の送受信を制御する。【００２５】
また、制御部１１３は、トランスポンダ部１１２を介して、光伝送装置１２０が光信号を送信する際に使用する波長の情報をＳＯＮＥＴ／ＳＤＨオーバヘッドに載せて光伝送装置１２０へ送信する。波長の情報を送信するオーバヘッドには、たとえば未使用のＤ１〜Ｄ３（ＤＣＣ）バイトやＥ１（オーダワイヤ）バイト、Ｆ１（ユーザ）バイトなどの空きバイトを装置の状況に応じて選択する。【００２６】
光伝送装置１２０は、トランスポンダ部１２１によって構成されており、図１５に示した制御系（制御部１５０２）は省かれている。光伝送装置１２０は、ユーザのビルなどに設置されて独立したトランスポンダシステムを構成する。トランスポンダ部１２１は、ＷＤＭ装置１１０から送信された光信号を受信し、アラーム情報を検出する。【００２７】
ここで、アラーム情報とは、ＬＯＳ（Ｌｏｓｓ  Ｏｆ  Ｓｉｇｎａｌ）、ＬＯＦ（Ｌｏｓｓ  Ｏｆ  Ｆｒａｍｅ）などのＳＯＮＥＴ／ＳＤＨ、ＤＷ（Ｄｉｇｉｔａｌ  Ｗｒａｐｐｅｒ）の検出アラームの情報である。トランスポンダ部１２１は、検出したアラーム情報をそのままＳＯＮＥＴ／ＳＤＨオーバヘッドに載せて送信する。これによって、ＷＤＭ装置１１０は、光伝送装置１２０におけるアラーム情報を収集することができる。このため、光伝送装置１２０において制御系を省いた構成でもＷＤＭ装置１１０との通信を行うことが可能になる。【００２８】
また、トランスポンダ部１２１の立ち上げ時の初期設定値をあらかじめトランスポンダ部１２１が備える図示しないＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）などに格納しておき、トランスポンダ部１２１の立ち上げ時に読み出すことで、トランスポンダ部１２１の立ち上げ時の初期設定値を設定することができる。また、トランスポンダ部１２１は、ＷＤＭ装置１１０から送信された、光伝送装置１２０が光信号を送信する際に使用する波長の情報を受信し、受信した情報に基づいて送信波長の設定を行う。【００２９】
このように、実施の形態１にかかる光伝送装置１２０によれば、検出したアラーム情報を制御系を介さずに直接返送することで、ＷＤＭ装置１１０によるアラーム情報の収集を可能としつつ制御系を省くことができる。また、実施の形態１にかかる光伝送装置１２０によれば、ＷＤＭ装置１１０から未使用オーバヘッドを使用して送信される波長の情報を受信することで、送信波長の設定を可能としつつ制御系を省くことができる。このため、実施の形態１にかかる光伝送装置１２０によれば、装置の省スペース化、低コスト化を図ることができる。【００３０】
（実施の形態２）
図２は、実施の形態２にかかる光伝送装置の分散補償部の具体的構成を示すブロック図である。図２において、図１に示した構成と同様の構成については同一の符号を付して説明を省略する。図２に示すように、実施の形態２にかかる光伝送装置１２０はトランスポンダ部１２１から構成されている。トランスポンダ部１２１は、受信部１２７と、波長判定部１２２と、分散補償部（ＶＩＰＡ）１２３と、送信部（Ｔｕｎａｂｌｅ  ＬＤ）１２４と、制御部１２５と、信号処理部１２６と、を備えている。【００３１】
受信部１２７は、ＷＤＭ装置１１０から送信された光信号を受信する。受信部１２７は、受信した光信号を波長判定部１２２および分散補償部１２３へ出力する。波長判定部１２２は、受信部１２７から出力された光信号の波長を判定する。波長判定部１２２は、たとえば一般的な波長計によって構成することができる。波長判定部１２２は、判定した光信号の波長の情報を制御部１２５へ出力する。【００３２】
分散補償部１２３は、受信部１２７から出力された光信号に対して分散補償を行う。分散補償部１２３は、可変な分散補償量によって分散補償を行う。また、分散補償部１２３は、制御部１２５からの制御によって分散補償量を変化させる。ここでは、分散補償部１２３は、ＶＩＰＡによって構成されている。分散補償部１２３は、分散補償を行った光信号を信号処理部１２６へ出力する。【００３３】
送信部１２４は、信号処理部１２６から出力された電気信号を光信号に変換してＷＤＭ装置１１０へ送信する。送信部１２４は、制御部１２５からの制御によって送信する光信号の波長を変化させる。ここでは、送信部１２４は、Ｔｕｎａｂｌｅ  ＬＤによって構成されている。【００３４】
制御部１２５は、波長判定部１２２から出力された光信号の波長の情報に応じて、分散補償部１２３の分散補償量を制御する。具体的には、制御部１２５は、分散補償部１２３を構成するＶＩＰＡの多重反射板の温度制御を行う。また、制御部１２５は、波長判定部１２２から出力された光信号の波長の情報に応じて、送信部１２４が送信する光信号の波長を制御する。具体的には、制御部１２５は、送信部１２４が送信する光信号の波長を、ＷＤＭ装置１１０から光伝送装置１２０へ送信された光信号の波長と同じ波長に設定する。【００３５】
信号処理部１２６は、分散補償部１２３から出力された光信号に対して信号処理を行う。たとえば、信号処理部１２６は、分散補償部１２３から出力された光信号の復調処理を行う。また、信号処理部１２６は、分散補償部１２３から出力された光信号の誤り訂正処理（ＦＥＣ：Ｆｏｒｗａｒｄ  Ｅｒｒｏｒ  Ｃｏｒｒｅｃｔｉｏｎ）を行い、光伝送装置１２０が受信した光信号のＢＥＲを算出する。【００３６】
信号処理部１２６は、信号処理の結果得られたデータ信号を、たとえばユーザ端末へ出力する。また、信号処理部１２６は、たとえばユーザ端末から出力されたデータ列に対して変調処理を行い、変調処理の結果得られたデータ信号を電気信号として送信部１２４へ出力する。また、信号処理部１２６は、受信した光信号から検出したアラーム情報をそのままＳＯＮＥＴ／ＳＤＨオーバヘッドに載せて送信する。【００３７】
このように、実施の形態２にかかる光伝送装置１２０によれば、受信した光信号の波長を制御系を介さずに判定することができるため、送信波長の設定を可能としつつ制御系を省くことができる。このため、実施の形態２にかかる光伝送装置１２０によれば、装置の省スペース化、低コスト化を図ることができる。【００３８】
（実施の形態３）
図３は、実施の形態３にかかる光伝送装置の分散補償部の具体的構成を示すブロック図（状態１）である。図４は、実施の形態３にかかる光伝送装置の分散補償部の具体的構成を示すブロック図（状態２）である。図３および図４に示すように、実施の形態３にかかる分散補償部１２３は、通常のＶＩＰＡの構成である光サーキュレータ３０１と、シングルモードファイバ３０２と、コリメートレンズ３０３と、ラインフォーカスレンズ３０４と、多重反射板３０５と、焦点レンズ３０７と、ミラー３１３と、に加えて、切替部３０８と、ＰＤアレイ３０９と、デジタル変換部３１０と、制御部３１１と、を備えている。【００３９】
光サーキュレータ３０１は、光伝送装置１２０が受信した光信号をシングルモードファイバ３０２へ出力する。また、光サーキュレータ３０１は、シングルモードファイバ３０２から出力された光信号を信号処理部１２６へ出力する。【００４０】
シングルモードファイバ３０２は、光サーキュレータ３０１から出力された光信号を拡散光にしてコリメートレンズ３０３へ出力する。シングルモードファイバ３０２がコリメートレンズ３０３へ光信号を出力する出射位置はコリメートレンズ３０３の焦点に位置している。また、シングルモードファイバ３０２は、コリメートレンズ３０３から出力された光信号を光サーキュレータ３０１へ出力する。【００４１】
コリメートレンズ３０３は、シングルモードファイバ３０２から出力された光信号を平行光にコリメートしてラインフォーカスレンズ３０４へ出力する。また、コリメートレンズ３０３は、ラインフォーカスレンズ３０４から出力された光信号を集束光にしてシングルモードファイバ３０２へ出力する。ラインフォーカスレンズ３０４は、コリメートレンズ３０３から出力された光信号を多重反射板３０５の面上へ集束させる。また、ラインフォーカスレンズ３０４は、多重反射板３０５から出力される光信号を平行光にしてコリメートレンズ３０３へ出力する。【００４２】
多重反射板３０５は、ラインフォーカスレンズ３０４によって集束された光信号を多重反射させ、光信号の波長に応じた角度によって焦点レンズ３０７へ出力する。これによって、光信号が波長毎の光信号に分光される。また、多重反射板３０５は、波長に応じた角度によって焦点レンズ３０７からそれぞれ出力された光信号をラインフォーカスレンズ３０４へ出力する。【００４３】
焦点レンズ３０７は、多重反射板３０５から出力された光信号を集束光にしてＰＤアレイ３０９へ出力する。または、焦点レンズ３０７は、多重反射板３０５から出力された光信号を集束光にしてミラー３１３に反射させる。また、焦点レンズ３０７は、ミラー３１３から反射した光信号を波長に応じた角度によって多重反射板３０５へ出力する。【００４４】
切替部３０８は、ＰＤアレイ３０９およびミラー３１３の位置を機械的に変位させる。具体的には、光伝送装置１２０が受信する光信号の波長を測定する場合には、切替部３０８は、図３に示すように、多重反射板３０５において反射した光信号を受光する位置にＰＤアレイ３０９を配置する。【００４５】
ＰＤアレイ３０９は、焦点レンズ３０７から出力される光信号を受光する。ＰＤアレイ３０９は、複数の受光素子を有する。複数の受光素子は、それぞれ異なる複数の波長に対応しており、対応する光信号を受光する位置にそれぞれ配置されている。ＰＤアレイ３０９は、複数の受光素子が受光した光信号の強度を電気信号に変換してデジタル変換部３１０へ出力する。デジタル変換部（ＡＤ／ＣＯＮＶ．：Ａｎａｌｏｇ  Ｄｉｇｉｔａｌ／ＣＯＮＶｅｒｔｅｒ）３１０は、ＰＤアレイ３０９から出力された電気信号をデジタル信号に変換して制御部（ＦＰＧＡ）３１１へ出力する。【００４６】
制御部３１１は、デジタル変換部３１０から出力されたデジタル信号を取得して、いずれの受光素子が受光した光信号の強度が大きいかによって、受信した光信号の波長を判定する。たとえば、制御部３１１は、受光した光信号の強度が最も大きな受光素子が対応する波長を、受信した光信号の波長と判定する。制御部３１１は、判定した波長の情報に基づいて、インターフェース（ＩＮＦ）部３１２を介して多重反射板３０５の温度制御を行う。【００４７】
また、制御部３１１は、インターフェース部３１２を介してＰＤアレイ３０９を制御することによって、ＰＤアレイ３０９およびミラー３１３の位置を機械的に変位させる。ここでは、制御部３１１は、ＦＰＧＡ（Ｆｉｅｌｄ  Ｐｒｏｇｒａｍｍａｂｌｅ  Ｇａｔｅ  Ａｒｒａｙ）によって構成されている。また、インターフェース部３１２は、Ｉ２Ｃ（Ｉｎｔｅｒ  Ｉｎｔｅｇｒａｔｅｄ  Ｃｉｒｃｕｉｔ）によって構成されている。【００４８】
光伝送装置１２０が受信する光信号に対して分散補償を行う場合には、切替部３０８は、図４に示すように、多重反射板３０５において反射した光信号を反射させる位置にミラー３１３を配置する。ミラー３１３は、焦点レンズ３０７から出力された光信号を焦点レンズ３０７へ反射する。ミラー３１３は、反射面が連続的に異なる自由曲面反射鏡である。また、多重反射板３０５から出力される光信号はその波長によって光路が異なるため、ミラー３１３において波長毎に異なる位置で反射する。これにより、分散補償部１２３は、波長毎に異なる分散補償量を光信号に与えることができる。【００４９】
図５は、実施の形態３にかかる光伝送装置の構成を示すブロック図である。図５において、図２に示した構成と同様の構成については同一の符号を付して説明を省略する。図５に示すように、実施の形態３にかかる光伝送装置１２０のトランスポンダ部１２１は、受信部１２７と、分散補償部１２３と、送信部１２４と、信号処理部１２６と、切替部３０８と、デジタル変換部３１０と、制御部３１１と、インターフェース部３１２と、を備えている。ここで、分散補償部１２３と、切替部３０８と、インターフェース部３１２と、によってＶＩＰＡモジュールが構成されている。【００５０】
制御部３１１は、多重反射板３０５の温度制御の他に、分散補償部１２３の分散補償量の制御および送信部１２４の送信波長の設定を行う。制御部３１１は、ミラー３１３と焦点レンズ３０７との距離を調節することで、すべての波長の光信号に対する分散補償量を制御する。具体的には、制御部３１１は、信号処理部１２６からＢＥＲの情報を取得し、ＢＥＲが最小となるようにミラー３１３を調節する。また、制御部３１１は、判定した波長の情報に基づいて送信部１２４の送信波長を設定する。【００５１】
図６は、実施の形態３にかかる光伝送装置の動作の一例を示すフローチャートである。まず、切替部３０８は、多重反射板３０５において反射した光信号を受光する位置にＰＤアレイ３０９を配置する（ステップＳ６０１）。つぎに、ＷＤＭ装置１１０から送信される光信号を受信する（ステップＳ６０２）。つぎに、制御部３１１が、受信した光信号の波長を判定する（ステップＳ６０３）。つぎに、切替部３０８は、多重反射板３０５において反射した光信号を反射させる位置にミラー３１３を配置する（ステップＳ６０４）。【００５２】
つぎに、制御部３１１は、ステップＳ６０３において判定した波長の情報に基づいて多重反射板３０５の温度制御を行う（ステップＳ６０５）。つぎに、制御部３１１は、ステップＳ６０３において判定した波長の情報に基づいて送信部１２４の送信波長を設定する（ステップＳ６０６）。つぎに、制御部３１１は、ミラー３１３の位置を調節し（ステップＳ６０７）、ＢＥＲが最小となるまで調節を続ける（ステップＳ６０８：Ｎｏのループ）。ＢＥＲが最小となると（ステップＳ６０８：Ｙｅｓ）、データ通信の運用を開始する。【００５３】
このように、実施の形態３にかかる光伝送装置１２０の波長判定部１２２は、分散補償部１２３が有する多重反射板３０５における光信号の反射角度を判定することによって光信号の波長を判定する。したがって、実施の形態３にかかる光伝送装置１２０によれば、受信した光信号の波長をＶＩＰＡの構成を利用して判定することができる。このため、省スペースで簡易な構成によって送信波長の設定を可能としつつ制御系を省くことができる。このため、実施の形態１にかかる光伝送装置１２０によれば、装置の省スペース化、低コスト化を図ることができる。【００５４】
（実施の形態４）
図７は、実施の形態４にかかる光伝送装置の波長判定部の構成を示すブロック図である。図７に示すように、実施の形態４にかかる光伝送装置１２０の波長判定部１２２は、波長ルータ（ＡＷＧ）７０１と、複数の受光素子７０２と、判定部７０３と、を備えている。波長ルータ７０１は、光伝送装置１２０が受信した光信号を、複数の受光素子７０２のうちその光信号の波長に対応した受光素子へ出力する。複数の受光素子７０２は、それぞれ異なる波長に対応しており、波長ルータ７０１から出力された光信号を受光する。【００５５】
複数の受光素子７０２は、受光した光信号の強度に応じた電気信号を判定部７０３へ出力する。判定部７０３は、複数の受光素子７０２から出力される電気信号に基づいて、光伝送装置１２０が受信した光信号の波長を判定する。たとえば、判定部７０３は、最も強度の高い光信号を受光した受光素子に対応した波長を、光伝送装置１２０が受信した光信号の波長と判定する。判定部７０３は、判定した波長の情報を制御部１２５へ出力する。【００５６】
このように、実施の形態４にかかる光伝送装置１２０によれば、受信した光信号の波長を制御系を介さずに判定することができるため、送信波長の設定を可能としつつ制御系を省くことができる。このため、実施の形態４にかかる光伝送装置１２０によれば、装置の省スペース化、低コスト化を図ることができる。【００５７】
（実施の形態５）
図８は、実施の形態５にかかる光伝送装置を適用した光伝送システムの構成の一部を示すブロック図である。実施の形態５にかかる光伝送装置１２０を適用した光伝送システム１００においては、ＷＤＭ装置１１０は、あらかじめ定められた波長によって、実際にデータ通信を行う際の波長の情報を含む光信号を光伝送装置１２０へ送信する。光伝送装置１２０の信号処理部１２６は、ＷＤＭ装置１１０から送信されたこの波長の情報を受信して波長判定部１２２へ出力する。波長判定部１２２は、ＷＤＭ装置１１０から送信されたこの波長の情報に基づいて、データ通信を行う際の波長を判定する。【００５８】
図９は、実施の形態５にかかる光伝送装置を適用した光伝送システムの動作の一例を示すフローチャートである。図９に示すように、まず、ＷＤＭ装置１１０が、トランスポンダ部１１２の送信波長をあらかじめ定められた初期波長に設定する（ステップＳ９０１）。つぎに、ＷＤＭ装置１１０が、実際のデータ通信の運用時に用いる運用波長の情報をＳＯＮＥＴ／ＳＤＨの空きオーバヘッドを利用して光伝送装置１２０へ送信する（ステップＳ９０２）。【００５９】
つぎに、光伝送装置１２０が、初期波長に基づいて多重反射板の温度制御を行う（ステップＳ９０３）。つぎに、光伝送装置１２０が、ミラー３１３の位置を調節し（ステップＳ９０４）、ＢＥＲが最小となるまで調節を続ける（ステップＳ９０５：Ｎｏのループ）。光伝送装置１２０は、ＢＥＲが最小となると（ステップＳ９０５：Ｙｅｓ）、ＷＤＭ装置１１０から送信された運用波長の情報を受信する（ステップＳ９０６）。【００６０】
つぎに、光伝送装置１２０が、ステップＳ９０６で受信した運用波長の情報に基づいて、送信部１２４の送信波長を運用波長に設定する（ステップＳ９０７）。つぎに、光伝送装置１２０が、光伝送装置１２０からＷＤＭ装置１１０への通信の疎通が完了した旨の疎通完了情報をＳＯＮＥＴ／ＳＤＨの空きオーバヘッドを利用してＷＤＭ装置１１０へ送信する（ステップＳ９０８）。つぎに、ＷＤＭ装置１１０が、トランスポンダ部１１２の送信波長を運用波長に設定する（ステップＳ９０９）。【００６１】
つぎに、光伝送装置１２０が、運用波長に基づいて多重反射板３０５の温度制御を行う（ステップＳ９１０）。つぎに、光伝送装置１２０が、ミラー３１３の位置を調節し（ステップＳ９１１）、ＢＥＲが最小となるまで調節を続ける（ステップＳ９１２：Ｎｏのループ）。光伝送装置１２０は、ＢＥＲが最小となると（ステップＳ９１２：Ｙｅｓ）、データ通信の運用を開始する。なお、ステップＳ９０８の後に、ＷＤＭ装置１１０から光伝送装置１２０へ疎通完了情報をさらに送信してもよい。【００６２】
このように、実施の形態５にかかる光伝送装置１２０によれば、受信する光信号の波長を制御系を介さずにあらかじめ判定することができるため、送信波長の設定を可能としつつ制御系を省くことができる。このため、実施の形態５にかかる光伝送装置１２０によれば、装置の省スペース化、低コスト化を図ることができる。【００６３】
（実施の形態６）
図１０は、実施の形態６にかかる光伝送装置を適用した光伝送システムの構成の一部を示すブロック図である。実施の形態６にかかる光伝送装置１２０を適用した光伝送システムにおいては１００、ＷＤＭ装置１１０は、データ通信を行う際の波長の情報を、トランスポンダ部１１２が送信する光信号に低周波の情報として重畳させる。【００６４】
実施の形態６にかかる光伝送装置１２０は、たとえば実施の形態２にかかる光伝送装置１２０の波長判定部１２２に代えて、低周波検出部１００１を備えている。低周波検出部１００１は、ＷＤＭ装置１１０から送信される光信号に低周波の情報として重畳されたデータ通信を行う際の波長の情報を検出する。低周波検出部１００１は、検出した情報を制御部１２５へ出力する。制御部１２５は、低周波検出部１００１から出力された波長の情報に応じて、分散補償部１２３および送信部１２４の制御を行う。【００６５】
このように、実施の形態６にかかる光伝送装置１２０によれば、ＷＤＭ装置１１０から送信される光信号に重畳されたデータ通信を行う際の波長の情報を検出することで、データ通信を行う際の波長を判定することができるため、送信波長の設定を可能としつつ制御系を省くことができる。このため、実施の形態６にかかる光伝送装置１２０によれば、装置の省スペース化、低コスト化を図ることができる。
【実施例】
【００６６】
図１１は、本発明にかかる光伝送装置を適用したＤＷＤＭ装置の実施例の基本的構成を示すブロック図である。図１１に示すように、光伝送装置を適用したＤＷＤＭ装置１１０１は、従来のＤＷＤＭ装置１５００に比べて（図１５参照）、トランスポンダ部１２１のみによって構成され、制御部１５０２を省くことができる。また、ＮＭＳ１５１０へのネットワーク接続も不要となる。【００６７】
図１２は、本発明にかかる光伝送装置のトランスポンダ部の実施例の構成の一例を示すブロック図である。また、図１２に示すように、ＤＷＤＭ装置１１０１に、たとえば実施の形態２にかかる光伝送装置１２０を適用した場合、通常のＶＩＰＡの構成に、切替部３０８と、ＰＤアレイ３０９と、を加え（ＶＩＰＡ＋ＰＤアレイ１２０１）、ＶＩＰＡの多重反射板３０５における光信号の反射角度を判定することによって光信号の波長を判定する。また、信号処理部１２６は、受信した光信号について検出したアラーム情報をそのままＳＯＮＥＴ／ＳＤＨオーバヘッドに載せて対向局（ＷＤＭ装置１１０）へ送信する。【００６８】
以上説明したように、この発明にかかる光伝送装置および光伝送方法によれば、データ通信を行う際の波長を判定することを可能としつつ制御系を省くことができる。このため、この発明にかかる光伝送装置および光伝送方法によれば、装置の省スペース化、低コスト化を図ることができる。また、この発明にかかる光伝送装置および光伝送方法によれば、ＮＭＳへのネットワーク接続が不要となり、設置工事の簡略化および低コスト化を図ることができる。
【産業上の利用可能性】
【００６９】
以上のように、この発明にかかる光伝送装置および光伝送方法は、波長多重によって光伝送を行う光伝送装置および光伝送方法に有用であり、特に、光伝送装置によって独立したトランスポンダシステムを構成する場合に適している。
【図１】
2008081545.tif 000003
【図２】
2008081545.tif 000004
【図３】
2008081545.tif 000005
【図４】
2008081545.tif 000006
【図５】
2008081545.tif 000007
【図６】
2008081545.tif 000008
【図７】
2008081545.tif 000009
【図８】
2008081545.tif 000010
【図９】
2008081545.tif 000011
【図１０】
2008081545.tif 000012
【図１１】
2008081545.tif 000013
【図１２】
2008081545.tif 000014
【図１３】
2008081545.tif 000015
【図１４】
2008081545.tif 000016
【図１５】
2008081545.tif 000017
【図１６】
2008081545.tif 000018
【手続補正書】
【提出日】平成21年2月5日(2009.2.5)
【手続補正１】
【補正対象書類名】明細書
【補正対象項目名】全文
【補正方法】変更
【補正の内容】
【発明の詳細な説明】
【技術分野】
【０００１】
この発明は、波長多重によって光伝送を行う光伝送装置および光伝送方法に関するものである。
【背景技術】
【０００２】
近年、伝送容量の増大に伴い、高密度波長分割多重方式（ＤＷＤＭ：Ｄｅｎｓｅ  Ｗａｖｅｌｅｎｇｔｈ  Ｄｉｖｉｓｉｏｎ  Ｍｕｌｔｉｐｌｅｘｉｎｇ）を可能とするネットワークが構築されつつある。また、さらなる伝送容量の増加に対応すべく、伝送スピードが４０Ｇｂｐｓの超高速レートの光伝送システムも商用化されつつある。このような状況の中、超高速のままルータからユーザのビルまでの伝送を可能にするための簡易的なトランスポンダシステム（Ｓｔａｎｄａｌｏｎｅ  Ｔｒａｎｓｐｏｎｄｅｒ  Ｓｙｓｔｅｍ）が研究開発されている（たとえば、下記特許文献１参照。）。
【０００３】
図１３は、従来のＷＤＭ伝送システムの構成を示すブロック図（その１）である。局Ａにおいて、ルータ１３０１から出力されたＳＯＮＥＴ／ＳＤＨ（Ｓｙｎｃｈｒｏｎｏｕｓ  Ｏｐｔｉｃａｌ  ＮＥＴｗｏｒｋ／Ｓｙｎｃｈｒｏｎｏｕｓ  Ｄｉｇｉｔａｌ  Ｈｉｅｒａｒｃｈｙ）信号は、トランスポンダ部１３０２によって受信、トランスペアレントされ（波長多重用の光波長に変換されて）、ＭＵＸ（Ｍｕｌｔｉｐｌｅｘｅｒ）部１３０３において波長多重されて局Ｆへ送信される。長距離を伝送する場合は、ＳＯＮＥＴ／ＳＤＨ信号は、局Ａから中継局Ｂ〜Ｅを経由して局Ｆへ送信される。
【０００４】
局Ｆにおいて、局Ａから送信されたＳＯＮＥＴ／ＳＤＨ信号は、ＭＵＸ部１３０４によって取り出され、トランスポンダ部１３０５を介してルータ１３０６へと転送される。また、このＷＤＭ伝送システムにおいては、局Ａから局Ｆへ送信される光信号の波長はλ１であり、局Ｆから局Ａへ送信される光信号の波長はλ２（≠λ１）である。
【０００５】
図１４は、従来のＷＤＭ伝送システムの構成を示すブロック図（その２）である。図１４に示すように、このＷＤＭ伝送システムは、局Ａから局Ｆまでの接続について冗長な経路となる局Ｈ〜局Ｍを有している。ここで、局Ａのトランスポンダ部１４０１、局Ｆのトランスポンダ部１４０２，１４０３および局Ｇのトランスポンダ部１４０４は、長距離伝送を行うために特に必要となる簡易的なトランスポンダである。局Ｇは、ユーザのビルなどに設置された光伝送装置であり、独立したトランスポンダシステムを構成する。なお、このＷＤＭ伝送システムにおいては、各経路における双方向の光信号の波長はそれぞれ同じ波長（λ３，λ４）となっている。
【０００６】
図１５は、従来のＤＷＤＭ装置の基本的構成を示すブロック図である。図１５に示すＤＷＤＭ装置１５００は、たとえば図１４に示した局Ｇを構成する光伝送装置である。ＤＷＤＭ装置１５００は、データの送受信を行うトランスポンダ部（ＴＲＰＮ：ＴＲａｎｓＰｏＮｄｅｒ）１５０１と、トランスポンダ部１５０１のデータの送受信を制御する制御系である制御部１５０２と、を備えている。
【０００７】
制御部１５０２は、ＮＭＳ（Ｎｅｔｗｏｒｋ  Ｍａｎａｇｅｍｅｎｔ  Ｓｙｓｔｅｍ）１５１０に接続しており、ＮＭＳ１５１０の制御に従ってＤＷＤＭ装置１５００のデータの送受信を制御する。たとえば、制御部１５０２は、ＮＭＳ１５１０から、ＤＷＤＭ装置１５００に割り当てられた波長の情報を受信し、受信した情報に基づいてトランスポンダ部１５０１が送受信する光信号の波長を制御する。
【０００８】
図１６は、従来の光伝送システムの構成の一部を示すブロック図である。図１６に示すように、従来の光伝送システム１６００は、ＷＤＭ装置１６１０と、光伝送装置１６２０と、ＮＭＳ１６３０と、を有している。ＷＤＭ装置１６１０における制御部１６１１は、光伝送装置１６２０との間で送受信する光信号のために割り当てられた波長の情報をＮＭＳ１６３０から受信し、受信した情報に基づいてトランスポンダ部１６１２が送受信する光信号の波長を制御する。
【０００９】
同様に、光伝送装置１６２０における制御部１６２１は、ＷＤＭ装置１６１０との間で送受信する光信号のために割り当てられた波長の情報をＮＭＳ１６３０から受信し、受信した情報に基づいてトランスポンダ部１６２２が送受信する光信号の波長を制御する。なお、ＷＤＭ装置１６１０におけるＭＵＸ部１６１３は、光伝送システム１６００における他の光伝送装置から送信される光信号を多重分離し、また他の光伝送装置へ送信する光信号を多重化する。
【００１０】
また、高速の光伝送装置には、波長分散によって発生した光信号の劣化を補償するために、ＶＩＰＡ（Ｖｉｒｔｕａｌｌｙ  Ｉｍａｇｅｄ  Ｐｈａｓｅｄ  Ａｒｒａｙ）などの分散補償器が用いられる。ＶＩＰＡには受信する光信号の波長に対する依存性があり、受信波長によっては波長ずれが発生する。このため、光伝送装置は、受信する光信号の波長の情報を制御系によってＮＭＳから受信し、受信する光信号の波長に応じてＶＩＰＡの温度制御を行う。
【００１１】
また、光伝送装置のトランスポンダ部の送信側には、送信波長を変化させることができるＴｕｎａｂｌｅ  ＬＤが用いられている。光伝送装置は、光伝送装置の送信に割り当てられた送信波長の情報を制御系によってＮＭＳから受信し、割り当てられた送信波長をＴｕｎａｂｌｅ  ＬＤ（Ｌａｓｅｒ  Ｄｉｏｄｅ）に設定する。
【先行技術文献】
【特許文献】
【００１２】
【特許文献１】特開２０００−３４９７５３号公報
【発明の概要】
【発明が解決しようとする課題】
【００１３】
しかしながら、たとえばユーザのビルに設置するトランスポンダは、設置場所が限られることから装置が省スペースであることが必要となる。また、このようなトランスポンダのそれぞれに制御系を設けるとコストが高くなる。これに対して、トランスポンダを制御する制御系を省くことによって装置の省スペース化、低コスト化を図ることが考えられるが、制御系を省くとアラーム検出や遠隔操作を行うことができなくなるという問題がある。
【００１４】
また、トランスポンダの制御系を省くと、そのトランスポンダに割り当てられた波長の情報を取得できなくなり、ＶＩＰＡの温度制御を適切に行うことができず分散補償の精度が低下するという問題がある。また、制御系を省くと、そのトランスポンダに割り当てられた波長の情報を取得できなくなり送信波長の設定を行うことができなくなるという問題がある。
【００１５】
この発明は、上記問題点に鑑みてなされたものであって、上記の問題点を解決しつつ、装置の省スペース化、低コスト化を図ることができる光伝送装置を提供することを目的とする。
【課題を解決するための手段】
【００１６】
上述した課題を解決し、目的を達成するために、この発明にかかる光伝送装置は、波長多重によって光伝送を行う光伝送装置において、送信装置から送信される光信号を受信する受信手段と、前記受信手段が受信する光信号の波長を判定する波長判定手段と、可変な波長によって光信号を送信する送信手段と、前記波長判定手段によって判定された波長に応じて前記送信手段が送信する光信号の波長を制御する制御手段と、を備えることを特徴とする。
【００１７】
上記構成によれば、受信する光信号の波長を制御系を介さずに判定できるため、制御系を省くことができる。
【発明の効果】
【００１８】
この発明にかかる光伝送装置および光伝送方法によれば、装置の省スペース化、低コスト化を図ることができるという効果を奏する。
【図面の簡単な説明】
【００１９】
【図１】実施の形態１にかかる光伝送装置を適用した光伝送システムの構成の一部を示すブロック図である。
【図２】実施の形態２にかかる光伝送装置の分散補償部の具体的構成を示すブロック図である。
【図３】実施の形態３にかかる光伝送装置の分散補償部の具体的構成を示すブロック図（状態１）である。
【図４】実施の形態３にかかる光伝送装置の分散補償部の具体的構成を示すブロック図（状態２）である。
【図５】実施の形態３にかかる光伝送装置の構成を示すブロック図である。
【図６】実施の形態３にかかる光伝送装置の動作の一例を示すフローチャートである。
【図７】実施の形態４にかかる光伝送装置の波長判定部の構成を示すブロック図である。
【図８】実施の形態５にかかる光伝送装置を適用した光伝送システムの構成の一部を示すブロック図である。
【図９】実施の形態５にかかる光伝送装置を適用した光伝送システムの動作の一例を示すフローチャートである。
【図１０】実施の形態６にかかる光伝送装置を適用した光伝送システムの構成の一部を示すブロック図である。
【図１１】本発明にかかる光伝送装置を適用したＤＷＤＭ装置の実施例の基本的構成を示すブロック図である。
【図１２】本発明にかかる光伝送装置のトランスポンダ部の実施例の構成の一例を示すブロック図である。
【図１３】従来のＷＤＭ伝送システムの構成を示すブロック図（その１）である。
【図１４】従来のＷＤＭ伝送システムの構成を示すブロック図（その２）である。
【図１５】従来のＤＷＤＭ装置の基本的構成を示すブロック図である。
【図１６】従来の光伝送システムの構成の一部を示すブロック図である。
【発明を実施するための形態】
【００２０】
以下に添付図面を参照して、この発明にかかる光伝送装置および光伝送方法の好適な実施の形態を詳細に説明する。
【００２１】
（実施の形態１）
図１は、実施の形態１にかかる光伝送装置を適用した光伝送システムの構成の一部を示すブロック図である。図１においては、実際のデータ信号の流れを実線で示し、制御信号の流れを点線で示している（以下のブロック図でも同様）。図１に示すように、光伝送システム１００は、ＷＤＭ装置１１０と、光伝送装置１２０と、ＮＭＳ１３０と、を含んでいる。
【００２２】
ＷＤＭ装置１１０は、多重化部（ＭＵＸ）１１１と、トランスポンダ部（ＴＲＰＮ）１１２と、制御部１１３と、を備えている。多重化部１１１は、光伝送システム１００の他の光伝送装置から波長多重して送信された光信号を受信して多重分離する。多重化部１１１は、多重分離した光信号をトランスポンダ部１１２へ出力する。また、多重化部１１１は、トランスポンダ部１１２から出力された光信号を波長多重して光伝送システム１００の他の光伝送装置へ送信する。
【００２３】
トランスポンダ部１１２は、多重化部１１１から出力された光信号を光伝送装置１２０へ送信する。また、トランスポンダ部１１２は、光伝送装置１２０から送信された光信号を受信して多重化部１１１へ出力する。制御部１１３は、ＮＭＳ１３０に接続しており、トランスポンダ部１１２における光信号の送受信を制御する。
【００２４】
また、制御部１１３は、トランスポンダ部１１２を介して、光伝送装置１２０が光信号を送信する際に使用する波長の情報をＳＯＮＥＴ／ＳＤＨオーバヘッドに載せて光伝送装置１２０へ送信する。波長の情報を送信するオーバヘッドには、たとえば未使用のＤ１〜Ｄ３（ＤＣＣ）バイトやＥ１（オーダワイヤ）バイト、Ｆ１（ユーザ）バイトなどの空きバイトを装置の状況に応じて選択する。
【００２５】
光伝送装置１２０は、トランスポンダ部１２１によって構成されており、図１５に示した制御系（制御部１５０２）は省かれている。光伝送装置１２０は、ユーザのビルなどに設置されて独立したトランスポンダシステムを構成する。トランスポンダ部１２１は、ＷＤＭ装置１１０から送信された光信号を受信し、アラーム情報を検出する。
【００２６】
ここで、アラーム情報とは、ＬＯＳ（Ｌｏｓｓ  Ｏｆ  Ｓｉｇｎａｌ）、ＬＯＦ（Ｌｏｓｓ  Ｏｆ  Ｆｒａｍｅ）などのＳＯＮＥＴ／ＳＤＨ、ＤＷ（Ｄｉｇｉｔａｌ  Ｗｒａｐｐｅｒ）の検出アラームの情報である。トランスポンダ部１２１は、検出したアラーム情報をそのままＳＯＮＥＴ／ＳＤＨオーバヘッドに載せて送信する。これによって、ＷＤＭ装置１１０は、光伝送装置１２０におけるアラーム情報を収集することができる。このため、光伝送装置１２０において制御系を省いた構成でもＷＤＭ装置１１０との通信を行うことが可能になる。
【００２７】
また、トランスポンダ部１２１の立ち上げ時の初期設定値をあらかじめトランスポンダ部１２１が備える図示しないＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）などに格納しておき、トランスポンダ部１２１の立ち上げ時に読み出すことで、トランスポンダ部１２１の立ち上げ時の初期設定値を設定することができる。また、トランスポンダ部１２１は、ＷＤＭ装置１１０から送信された、光伝送装置１２０が光信号を送信する際に使用する波長の情報を受信し、受信した情報に基づいて送信波長の設定を行う。
【００２８】
このように、実施の形態１にかかる光伝送装置１２０によれば、検出したアラーム情報を制御系を介さずに直接返送することで、ＷＤＭ装置１１０によるアラーム情報の収集を可能としつつ制御系を省くことができる。また、実施の形態１にかかる光伝送装置１２０によれば、ＷＤＭ装置１１０から未使用オーバヘッドを使用して送信される波長の情報を受信することで、送信波長の設定を可能としつつ制御系を省くことができる。このため、実施の形態１にかかる光伝送装置１２０によれば、装置の省スペース化、低コスト化を図ることができる。
【００２９】
（実施の形態２）
図２は、実施の形態２にかかる光伝送装置の分散補償部の具体的構成を示すブロック図である。図２において、図１に示した構成と同様の構成については同一の符号を付して説明を省略する。図２に示すように、実施の形態２にかかる光伝送装置１２０はトランスポンダ部１２１から構成されている。トランスポンダ部１２１は、受信部１２７と、波長判定部１２２と、分散補償部（ＶＩＰＡ）１２３と、送信部（Ｔｕｎａｂｌｅ  ＬＤ）１２４と、制御部１２５と、信号処理部１２６と、を備えている。
【００３０】
受信部１２７は、ＷＤＭ装置１１０から送信された光信号を受信する。受信部１２７は、受信した光信号を波長判定部１２２および分散補償部１２３へ出力する。波長判定部１２２は、受信部１２７から出力された光信号の波長を判定する。波長判定部１２２は、たとえば一般的な波長計によって構成することができる。波長判定部１２２は、判定した光信号の波長の情報を制御部１２５へ出力する。
【００３１】
分散補償部１２３は、受信部１２７から出力された光信号に対して分散補償を行う。分散補償部１２３は、可変な分散補償量によって分散補償を行う。また、分散補償部１２３は、制御部１２５からの制御によって分散補償量を変化させる。ここでは、分散補償部１２３は、ＶＩＰＡによって構成されている。分散補償部１２３は、分散補償を行った光信号を信号処理部１２６へ出力する。
【００３２】
送信部１２４は、信号処理部１２６から出力された電気信号を光信号に変換してＷＤＭ装置１１０へ送信する。送信部１２４は、制御部１２５からの制御によって送信する光信号の波長を変化させる。ここでは、送信部１２４は、Ｔｕｎａｂｌｅ  ＬＤによって構成されている。
【００３３】
制御部１２５は、波長判定部１２２から出力された光信号の波長の情報に応じて、分散補償部１２３の分散補償量を制御する。具体的には、制御部１２５は、分散補償部１２３を構成するＶＩＰＡの多重反射板の温度制御を行う。また、制御部１２５は、波長判定部１２２から出力された光信号の波長の情報に応じて、送信部１２４が送信する光信号の波長を制御する。具体的には、制御部１２５は、送信部１２４が送信する光信号の波長を、ＷＤＭ装置１１０から光伝送装置１２０へ送信された光信号の波長と同じ波長に設定する。
【００３４】
信号処理部１２６は、分散補償部１２３から出力された光信号に対して信号処理を行う。たとえば、信号処理部１２６は、分散補償部１２３から出力された光信号の復調処理を行う。また、信号処理部１２６は、分散補償部１２３から出力された光信号の誤り訂正処理（ＦＥＣ：Ｆｏｒｗａｒｄ  Ｅｒｒｏｒ  Ｃｏｒｒｅｃｔｉｏｎ）を行い、光伝送装置１２０が受信した光信号のＢＥＲを算出する。
【００３５】
信号処理部１２６は、信号処理の結果得られたデータ信号を、たとえばユーザ端末へ出力する。また、信号処理部１２６は、たとえばユーザ端末から出力されたデータ列に対して変調処理を行い、変調処理の結果得られたデータ信号を電気信号として送信部１２４へ出力する。また、信号処理部１２６は、受信した光信号から検出したアラーム情報をそのままＳＯＮＥＴ／ＳＤＨオーバヘッドに載せて送信する。
【００３６】
このように、実施の形態２にかかる光伝送装置１２０によれば、受信した光信号の波長を制御系を介さずに判定することができるため、送信波長の設定を可能としつつ制御系を省くことができる。このため、実施の形態２にかかる光伝送装置１２０によれば、装置の省スペース化、低コスト化を図ることができる。
【００３７】
（実施の形態３）
図３は、実施の形態３にかかる光伝送装置の分散補償部の具体的構成を示すブロック図（状態１）である。図４は、実施の形態３にかかる光伝送装置の分散補償部の具体的構成を示すブロック図（状態２）である。図３および図４に示すように、実施の形態３にかかる分散補償部１２３は、通常のＶＩＰＡの構成である光サーキュレータ３０１と、シングルモードファイバ３０２と、コリメートレンズ３０３と、ラインフォーカスレンズ３０４と、多重反射板３０５と、焦点レンズ３０７と、ミラー３１３と、に加えて、切替部３０８と、ＰＤアレイ３０９と、デジタル変換部３１０と、制御部３１１と、を備えている。
【００３８】
光サーキュレータ３０１は、光伝送装置１２０が受信した光信号をシングルモードファイバ３０２へ出力する。また、光サーキュレータ３０１は、シングルモードファイバ３０２から出力された光信号を信号処理部１２６へ出力する。
【００３９】
シングルモードファイバ３０２は、光サーキュレータ３０１から出力された光信号を拡散光にしてコリメートレンズ３０３へ出力する。シングルモードファイバ３０２がコリメートレンズ３０３へ光信号を出力する出射位置はコリメートレンズ３０３の焦点に位置している。また、シングルモードファイバ３０２は、コリメートレンズ３０３から出力された光信号を光サーキュレータ３０１へ出力する。
【００４０】
コリメートレンズ３０３は、シングルモードファイバ３０２から出力された光信号を平行光にコリメートしてラインフォーカスレンズ３０４へ出力する。また、コリメートレンズ３０３は、ラインフォーカスレンズ３０４から出力された光信号を集束光にしてシングルモードファイバ３０２へ出力する。ラインフォーカスレンズ３０４は、コリメートレンズ３０３から出力された光信号を多重反射板３０５の面上へ集束させる。また、ラインフォーカスレンズ３０４は、多重反射板３０５から出力される光信号を平行光にしてコリメートレンズ３０３へ出力する。
【００４１】
多重反射板３０５は、ラインフォーカスレンズ３０４によって集束された光信号を多重反射させ、光信号の波長に応じた角度によって焦点レンズ３０７へ出力する。これによって、光信号が波長毎の光信号に分光される。また、多重反射板３０５は、波長に応じた角度によって焦点レンズ３０７からそれぞれ出力された光信号をラインフォーカスレンズ３０４へ出力する。
【００４２】
焦点レンズ３０７は、多重反射板３０５から出力された光信号を集束光にしてＰＤアレイ３０９へ出力する。または、焦点レンズ３０７は、多重反射板３０５から出力された光信号を集束光にしてミラー３１３に反射させる。また、焦点レンズ３０７は、ミラー３１３から反射した光信号を波長に応じた角度によって多重反射板３０５へ出力する。
【００４３】
切替部３０８は、ＰＤアレイ３０９およびミラー３１３の位置を機械的に変位させる。具体的には、光伝送装置１２０が受信する光信号の波長を測定する場合には、切替部３０８は、図３に示すように、多重反射板３０５において反射した光信号を受光する位置にＰＤアレイ３０９を配置する。
【００４４】
ＰＤアレイ３０９は、焦点レンズ３０７から出力される光信号を受光する。ＰＤアレイ３０９は、複数の受光素子を有する。複数の受光素子は、それぞれ異なる複数の波長に対応しており、対応する光信号を受光する位置にそれぞれ配置されている。ＰＤアレイ３０９は、複数の受光素子が受光した光信号の強度を電気信号に変換してデジタル変換部３１０へ出力する。デジタル変換部（ＡＤ／ＣＯＮＶ．：Ａｎａｌｏｇ  Ｄｉｇｉｔａｌ／ＣＯＮＶｅｒｔｅｒ）３１０は、ＰＤアレイ３０９から出力された電気信号をデジタル信号に変換して制御部（ＦＰＧＡ）３１１へ出力する。
【００４５】
制御部３１１は、デジタル変換部３１０から出力されたデジタル信号を取得して、いずれの受光素子が受光した光信号の強度が大きいかによって、受信した光信号の波長を判定する。たとえば、制御部３１１は、受光した光信号の強度が最も大きな受光素子が対応する波長を、受信した光信号の波長と判定する。制御部３１１は、判定した波長の情報に基づいて、インターフェース（ＩＮＦ）部３１２を介して多重反射板３０５の温度制御を行う。
【００４６】
また、制御部３１１は、インターフェース部３１２を介してＰＤアレイ３０９を制御することによって、ＰＤアレイ３０９およびミラー３１３の位置を機械的に変位させる。ここでは、制御部３１１は、ＦＰＧＡ（Ｆｉｅｌｄ  Ｐｒｏｇｒａｍｍａｂｌｅ  Ｇａｔｅ  Ａｒｒａｙ）によって構成されている。また、インターフェース部３１２は、Ｉ２Ｃ（Ｉｎｔｅｒ  Ｉｎｔｅｇｒａｔｅｄ  Ｃｉｒｃｕｉｔ）によって構成されている。
【００４７】
光伝送装置１２０が受信する光信号に対して分散補償を行う場合には、切替部３０８は、図４に示すように、多重反射板３０５において反射した光信号を反射させる位置にミラー３１３を配置する。ミラー３１３は、焦点レンズ３０７から出力された光信号を焦点レンズ３０７へ反射する。ミラー３１３は、反射面が連続的に異なる自由曲面反射鏡である。また、多重反射板３０５から出力される光信号はその波長によって光路が異なるため、ミラー３１３において波長毎に異なる位置で反射する。これにより、分散補償部１２３は、波長毎に異なる分散補償量を光信号に与えることができる。
【００４８】
図５は、実施の形態３にかかる光伝送装置の構成を示すブロック図である。図５において、図２に示した構成と同様の構成については同一の符号を付して説明を省略する。図５に示すように、実施の形態３にかかる光伝送装置１２０のトランスポンダ部１２１は、受信部１２７と、分散補償部１２３と、送信部１２４と、信号処理部１２６と、切替部３０８と、デジタル変換部３１０と、制御部３１１と、インターフェース部３１２と、を備えている。ここで、分散補償部１２３と、切替部３０８と、インターフェース部３１２と、によってＶＩＰＡモジュールが構成されている。
【００４９】
制御部３１１は、多重反射板３０５の温度制御の他に、分散補償部１２３の分散補償量の制御および送信部１２４の送信波長の設定を行う。制御部３１１は、ミラー３１３と焦点レンズ３０７との距離を調節することで、すべての波長の光信号に対する分散補償量を制御する。具体的には、制御部３１１は、信号処理部１２６からＢＥＲの情報を取得し、ＢＥＲが最小となるようにミラー３１３を調節する。また、制御部３１１は、判定した波長の情報に基づいて送信部１２４の送信波長を設定する。
【００５０】
図６は、実施の形態３にかかる光伝送装置の動作の一例を示すフローチャートである。まず、切替部３０８は、多重反射板３０５において反射した光信号を受光する位置にＰＤアレイ３０９を配置する（ステップＳ６０１）。つぎに、ＷＤＭ装置１１０から送信される光信号を受信する（ステップＳ６０２）。つぎに、制御部３１１が、受信した光信号の波長を判定する（ステップＳ６０３）。つぎに、切替部３０８は、多重反射板３０５において反射した光信号を反射させる位置にミラー３１３を配置する（ステップＳ６０４）。
【００５１】
つぎに、制御部３１１は、ステップＳ６０３において判定した波長の情報に基づいて多重反射板３０５の温度制御を行う（ステップＳ６０５）。つぎに、制御部３１１は、ステップＳ６０３において判定した波長の情報に基づいて送信部１２４の送信波長を設定する（ステップＳ６０６）。つぎに、制御部３１１は、ミラー３１３の位置を調節し（ステップＳ６０７）、ＢＥＲが最小となるまで調節を続ける（ステップＳ６０８：Ｎｏのループ）。ＢＥＲが最小となると（ステップＳ６０８：Ｙｅｓ）、データ通信の運用を開始する。
【００５２】
このように、実施の形態３にかかる光伝送装置１２０の波長判定部１２２は、分散補償部１２３が有する多重反射板３０５における光信号の反射角度を判定することによって光信号の波長を判定する。したがって、実施の形態３にかかる光伝送装置１２０によれば、受信した光信号の波長をＶＩＰＡの構成を利用して判定することができる。このため、省スペースで簡易な構成によって送信波長の設定を可能としつつ制御系を省くことができる。このため、実施の形態１にかかる光伝送装置１２０によれば、装置の省スペース化、低コスト化を図ることができる。
【００５３】
（実施の形態４）
図７は、実施の形態４にかかる光伝送装置の波長判定部の構成を示すブロック図である。図７に示すように、実施の形態４にかかる光伝送装置１２０の波長判定部１２２は、波長ルータ（ＡＷＧ）７０１と、複数の受光素子７０２と、判定部７０３と、を備えている。波長ルータ７０１は、光伝送装置１２０が受信した光信号を、複数の受光素子７０２のうちその光信号の波長に対応した受光素子へ出力する。複数の受光素子７０２は、それぞれ異なる波長に対応しており、波長ルータ７０１から出力された光信号を受光する。
【００５４】
複数の受光素子７０２は、受光した光信号の強度に応じた電気信号を判定部７０３へ出力する。判定部７０３は、複数の受光素子７０２から出力される電気信号に基づいて、光伝送装置１２０が受信した光信号の波長を判定する。たとえば、判定部７０３は、最も強度の高い光信号を受光した受光素子に対応した波長を、光伝送装置１２０が受信した光信号の波長と判定する。判定部７０３は、判定した波長の情報を制御部１２５へ出力する。
【００５５】
このように、実施の形態４にかかる光伝送装置１２０によれば、受信した光信号の波長を制御系を介さずに判定することができるため、送信波長の設定を可能としつつ制御系を省くことができる。このため、実施の形態４にかかる光伝送装置１２０によれば、装置の省スペース化、低コスト化を図ることができる。
【００５６】
（実施の形態５）
図８は、実施の形態５にかかる光伝送装置を適用した光伝送システムの構成の一部を示すブロック図である。実施の形態５にかかる光伝送装置１２０を適用した光伝送システム１００においては、ＷＤＭ装置１１０は、あらかじめ定められた波長によって、実際にデータ通信を行う際の波長の情報を含む光信号を光伝送装置１２０へ送信する。光伝送装置１２０の信号処理部１２６は、ＷＤＭ装置１１０から送信されたこの波長の情報を受信して波長判定部１２２へ出力する。波長判定部１２２は、ＷＤＭ装置１１０から送信されたこの波長の情報に基づいて、データ通信を行う際の波長を判定する。
【００５７】
図９は、実施の形態５にかかる光伝送装置を適用した光伝送システムの動作の一例を示すフローチャートである。図９に示すように、まず、ＷＤＭ装置１１０が、トランスポンダ部１１２の送信波長をあらかじめ定められた初期波長に設定する（ステップＳ９０１）。つぎに、ＷＤＭ装置１１０が、実際のデータ通信の運用時に用いる運用波長の情報をＳＯＮＥＴ／ＳＤＨの空きオーバヘッドを利用して光伝送装置１２０へ送信する（ステップＳ９０２）。
【００５８】
つぎに、光伝送装置１２０が、初期波長に基づいて多重反射板の温度制御を行う（ステップＳ９０３）。つぎに、光伝送装置１２０が、ミラー３１３の位置を調節し（ステップＳ９０４）、ＢＥＲが最小となるまで調節を続ける（ステップＳ９０５：Ｎｏのループ）。光伝送装置１２０は、ＢＥＲが最小となると（ステップＳ９０５：Ｙｅｓ）、ＷＤＭ装置１１０から送信された運用波長の情報を受信する（ステップＳ９０６）。
【００５９】
つぎに、光伝送装置１２０が、ステップＳ９０６で受信した運用波長の情報に基づいて、送信部１２４の送信波長を運用波長に設定する（ステップＳ９０７）。つぎに、光伝送装置１２０が、光伝送装置１２０からＷＤＭ装置１１０への通信の疎通が完了した旨の疎通完了情報をＳＯＮＥＴ／ＳＤＨの空きオーバヘッドを利用してＷＤＭ装置１１０へ送信する（ステップＳ９０８）。つぎに、ＷＤＭ装置１１０が、トランスポンダ部１１２の送信波長を運用波長に設定する（ステップＳ９０９）。
【００６０】
つぎに、光伝送装置１２０が、運用波長に基づいて多重反射板３０５の温度制御を行う（ステップＳ９１０）。つぎに、光伝送装置１２０が、ミラー３１３の位置を調節し（ステップＳ９１１）、ＢＥＲが最小となるまで調節を続ける（ステップＳ９１２：Ｎｏのループ）。光伝送装置１２０は、ＢＥＲが最小となると（ステップＳ９１２：Ｙｅｓ）、データ通信の運用を開始する。なお、ステップＳ９０８の後に、ＷＤＭ装置１１０から光伝送装置１２０へ疎通完了情報をさらに送信してもよい。
【００６１】
このように、実施の形態５にかかる光伝送装置１２０によれば、受信する光信号の波長を制御系を介さずにあらかじめ判定することができるため、送信波長の設定を可能としつつ制御系を省くことができる。このため、実施の形態５にかかる光伝送装置１２０によれば、装置の省スペース化、低コスト化を図ることができる。
【００６２】
（実施の形態６）
図１０は、実施の形態６にかかる光伝送装置を適用した光伝送システムの構成の一部を示すブロック図である。実施の形態６にかかる光伝送装置１２０を適用した光伝送システムにおいては１００、ＷＤＭ装置１１０は、データ通信を行う際の波長の情報を、トランスポンダ部１１２が送信する光信号に低周波の情報として重畳させる。
【００６３】
実施の形態６にかかる光伝送装置１２０は、たとえば実施の形態２にかかる光伝送装置１２０の波長判定部１２２に代えて、低周波検出部１００１を備えている。低周波検出部１００１は、ＷＤＭ装置１１０から送信される光信号に低周波の情報として重畳されたデータ通信を行う際の波長の情報を検出する。低周波検出部１００１は、検出した情報を制御部１２５へ出力する。制御部１２５は、低周波検出部１００１から出力された波長の情報に応じて、分散補償部１２３および送信部１２４の制御を行う。
【００６４】
このように、実施の形態６にかかる光伝送装置１２０によれば、ＷＤＭ装置１１０から送信される光信号に重畳されたデータ通信を行う際の波長の情報を検出することで、データ通信を行う際の波長を判定することができるため、送信波長の設定を可能としつつ制御系を省くことができる。このため、実施の形態６にかかる光伝送装置１２０によれば、装置の省スペース化、低コスト化を図ることができる。
【実施例】
【００６５】
図１１は、本発明にかかる光伝送装置を適用したＤＷＤＭ装置の実施例の基本的構成を示すブロック図である。図１１に示すように、光伝送装置を適用したＤＷＤＭ装置１１０１は、従来のＤＷＤＭ装置１５００に比べて（図１５参照）、トランスポンダ部１２１のみによって構成され、制御部１５０２を省くことができる。また、ＮＭＳ１５１０へのネットワーク接続も不要となる。
【００６６】
図１２は、本発明にかかる光伝送装置のトランスポンダ部の実施例の構成の一例を示すブロック図である。また、図１２に示すように、ＤＷＤＭ装置１１０１に、たとえば実施の形態２にかかる光伝送装置１２０を適用した場合、通常のＶＩＰＡの構成に、切替部３０８と、ＰＤアレイ３０９と、を加え（ＶＩＰＡ＋ＰＤアレイ１２０１）、ＶＩＰＡの多重反射板３０５における光信号の反射角度を判定することによって光信号の波長を判定する。また、信号処理部１２６は、受信した光信号について検出したアラーム情報をそのままＳＯＮＥＴ／ＳＤＨオーバヘッドに載せて対向局（ＷＤＭ装置１１０）へ送信する。
【００６７】
以上説明したように、この発明にかかる光伝送装置および光伝送方法によれば、データ通信を行う際の波長を判定することを可能としつつ制御系を省くことができる。このため、この発明にかかる光伝送装置および光伝送方法によれば、装置の省スペース化、低コスト化を図ることができる。また、この発明にかかる光伝送装置および光伝送方法によれば、ＮＭＳへのネットワーク接続が不要となり、設置工事の簡略化および低コスト化を図ることができる。
【００６８】
上述した実施の形態に関し、さらに以下の付記を開示する。
【００６９】
（付記１）波長多重によって光伝送を行う光伝送装置において、
送信装置から送信される光信号を受信する受信手段と、
前記受信手段によって受信される光信号の波長を判定する波長判定手段と、
可変な波長によって光信号を送信する送信手段と、
前記波長判定手段によって判定された波長に応じて前記送信手段が送信する光信号の波長を制御する制御手段と、
を備えることを特徴とする光伝送装置。
【００７０】
（付記２）前記受信手段によって受信された光信号に対して可変な分散補償量によって分散補償を行う分散補償手段をさらに備え、
前記分散補償手段は、多重反射板と自由曲面反射鏡とを備えるＶＩＰＡ（Ｖｉｒｔｕａｌｌｙ  Ｉｍａｇｅｄ  Ｐｈａｓｅｄ  Ａｒｒａｙ）によって構成されており、
前記波長判定手段は、前記ＶＩＰＡの多重反射板における前記光信号の反射角度を判定することによって前記光信号の波長を判定することを特徴とする付記１に記載の光伝送装置。
【００７１】
（付記３）前記波長判定手段は、
前記光信号を受光する受光手段と、
前記ＶＩＰＡの多重反射板を反射した光信号を受光する所定位置に自由曲面反射鏡が配置される第１状態と、前記所定位置に前記受光手段が配置される第２状態と、を切り替える切替手段と、
前記第２状態において、前記受光手段が前記光信号を受光する位置によって前記光信号の波長を判定する判定手段と、
によって構成されていることを特徴とする付記２に記載の光伝送装置。
【００７２】
（付記４）前記受光手段は、複数の受光素子を有するＰＤアレイによって構成されており、
前記判定手段は、前記複数の受光素子が受光するそれぞれの光の強度に基づいて前記光信号の波長を判定することを特徴とする付記３に記載の光伝送装置。
【００７３】
（付記５）前記制御手段は、前記波長判定手段によって判定された波長に応じて前記分散補償手段の分散補償量を制御することを特徴とする付記２〜４のいずれか一つに記載の光伝送装置。
【００７４】
（付記６）前記制御手段は、前記多重反射板の温度制御を行うことによって前記分散補償手段の分散補償量を制御することを特徴とする付記５に記載の光伝送装置。
【００７５】
（付記７）前記波長判定手段は、
前記光信号の波長に応じた経路に前記光信号を出力する波長ルータと、
前記経路毎に設けられ、前記波長ルータから出力された光信号をそれぞれ受光する複数の受光素子と、
前記複数の受光素子が受光するそれぞれの光の強度に基づいて前記光信号の波長を判定する判定手段と、
によって構成されていることを特徴とする付記１または２に記載の光伝送装置。
【００７６】
（付記８）前記波長ルータはＡＷＧ（Ａｒｒａｙｅｄ  Ｗａｖｅｇｕｉｄｅ  Ｇｒａｔｉｎｇ）によって構成されていることを特徴とする付記７に記載の光伝送装置。
【００７７】
（付記９）前記制御手段は、あらかじめ定められた初期波長に応じて前記分散補償手段の分散補償量を制御し、
前記波長判定手段は、前記初期波長によって送信装置から送信された情報に基づいて前記光信号の波長を判定することを特徴とする付記２に記載の光伝送装置。
【００７８】
（付記１０）データ通信を行う際の周波数よりも低い周波数で送信され、データ通信を行う際の運用波長の情報を含む光信号を検出する検出手段をさらに備え、
前記波長判定手段は、前記検出手段によって検出された前記情報に基づいて前記光信号の波長を判定することを特徴とする付記２に記載の光伝送装置。
【００７９】
（付記１１）波長多重によって光伝送を行う光伝送方法において、
送信装置から送信される光信号を受信する受信工程と、
前記受信工程によって受信される光信号の波長を判定する波長判定工程と、
前記波長判定工程によって判定された波長に応じた波長によって光信号を送信する送信工程と、
を含むことを特徴とする光伝送方法。
【００８０】
（付記１２）前記受信工程によって受信された光信号に対して可変な分散補償量によって分散補償を行う分散補償工程をさらに含み、
前記分散補償工程では、多重反射板と自由曲面反射鏡とを含むＶＩＰＡ（Ｖｉｒｔｕａｌｌｙ  Ｉｍａｇｅｄ  Ｐｈａｓｅｄ  Ａｒｒａｙ）によって分散補償を行い、
前記波長判定工程では、前記ＶＩＰＡの多重反射板における前記光信号の反射角度を判定することによって前記光信号の波長を判定することを特徴とする付記１１に記載の光伝送方法。
【産業上の利用可能性】
【００８１】
以上のように、この発明にかかる光伝送装置および光伝送方法は、波長多重によって光伝送を行う光伝送装置および光伝送方法に有用であり、特に、光伝送装置によって独立したトランスポンダシステムを構成する場合に適している。
【符号の説明】
【００８２】
１００  光伝送システム
１１０  ＷＤＭ装置
１１１  多重化部
１１２  トランスポンダ部
１１３  制御部
１２０  光伝送装置
１２１  トランスポンダ部
１２２  波長判定部
１２３  分散補償部
１２４  送信部
１２５  制御部
１２６  信号処理部
１２７  受信部
１３０  ＮＭＳ
【手続補正２】
【補正対象書類名】特許請求の範囲
【補正対象項目名】全文
【補正方法】変更
【補正の内容】
【特許請求の範囲】
【請求項１】
波長多重によって光伝送を行う光伝送装置において、
送信装置から送信される光信号を受信する受信手段と、
前記受信手段によって受信される光信号の波長を判定する波長判定手段と、
可変な波長によって光信号を送信する送信手段と、
前記波長判定手段によって判定された波長に応じて前記送信手段が送信する光信号の波長を制御する制御手段と、
を備えることを特徴とする光伝送装置。
【請求項２】
前記受信手段によって受信された光信号に対して可変な分散補償量によって分散補償を行う分散補償手段をさらに備え、
前記分散補償手段は、多重反射板と自由曲面反射鏡とを備えるＶＩＰＡ（Ｖｉｒｔｕａｌｌｙ  Ｉｍａｇｅｄ  Ｐｈａｓｅｄ  Ａｒｒａｙ）によって構成されており、
前記波長判定手段は、前記ＶＩＰＡの多重反射板における前記光信号の反射角度を判定することによって前記光信号の波長を判定することを特徴とする請求項１に記載の光伝送装置。
【請求項３】
前記波長判定手段は、
前記光信号を受光する受光手段と、
前記ＶＩＰＡの多重反射板を反射した光信号を受光する所定位置に自由曲面反射鏡が配置される第１状態と、前記所定位置に前記受光手段が配置される第２状態と、を切り替える切替手段と、
前記第２状態において、前記受光手段が前記光信号を受光する位置によって前記光信号の波長を判定する判定手段と、
によって構成されていることを特徴とする請求項２に記載の光伝送装置。
【請求項４】
前記波長判定手段は、
前記光信号の波長に応じた経路に前記光信号を出力する波長ルータと、
前記経路毎に設けられ、前記波長ルータから出力された光信号をそれぞれ受光する複数の受光素子と、
前記複数の受光素子が受光するそれぞれの光の強度に基づいて前記光信号の波長を判定する判定手段と、
によって構成されていることを特徴とする請求項１または２に記載の光伝送装置。
【請求項５】
前記制御手段は、あらかじめ定められた初期波長に応じて前記分散補償手段の分散補償量を制御し、
前記波長判定手段は、前記初期波長によって送信装置から送信された情報に基づいて前記光信号の波長を判定することを特徴とする請求項２に記載の光伝送装置。
【請求項６】
波長多重によって光伝送を行う光伝送方法において、
送信装置から送信される光信号を受信する受信工程と、
前記受信工程によって受信される光信号の波長を判定する波長判定工程と、
前記波長判定工程によって判定された波長に応じた波長によって光信号を送信する送信工程と、
を含むことを特徴とする光伝送方法。
【国際調査報告】
2008081545.tif 000019
2008081545.tif 000020
2008081545.tif 000021
2008081545.tif 000022